(57)【要約】【課題】従来の空気清浄機は温度差により人の有無を検出しているので、人に関わらず温度差が発生する熱源にも反応し誤動作してしまうという課題や、凹曲面状の人感センサー設置部を凹設する必要があるので、本体のデザインの自由度が減り、デザイン性を損なうという課題があり、人の有無を正確に検出することができ、本体のデザイン性を損なわない空気清浄機を提供することを目的としている。【解決手段】人の動作方向を検出する人検出手段として人感センサー５と人感センサー５の検出信号によりファンモーター３の運転を制御するマイクロコンピュータ７を備えた制御回路６を設け、人感センサー５は所定の検出エリア８を有し、検出エリア８を通過する人の動作方向の検出信号により制御回路６はファンモーター３の運転を制御することで、デザイン性を損なわずに人感センサーを備えることができ、人の有無を正確に検出することができる空気清浄機が得られる。【選択図】図１
2009274050.tif 000002
【特許請求の範囲】
【請求項１】
本体に設けた吸気口と、この吸気口から吸気した汚れ空気を清浄化する浄化手段と、この浄化手段に通風する送風手段と、人の動作方向を検出する人検出手段と、前記人検出手段の検出信号により前記送風手段の運転を制御する制御手段を備え、前記人検出手段は所定の検出エリアを有し、所定の検出エリアを通過する人の動作方向の検出信号により前記制御手段は前記送風手段の運転を制御することを特徴とする空気清浄機。
【請求項２】
人検出手段の所定の検出エリアに部屋の扉を含むように前記人検出手段を備え、前記人検出手段の検出信号により部屋の入出を検出し、部屋の入出に応じて制御手段は送風手段の運転を自動制御することを特徴とする請求項１記載の空気清浄機。
【請求項３】
制御手段は人検出手段の検出信号による部屋の入出の検出結果をカウントし、在室人数を判定するようにしたことを特徴とする請求項２記載の空気清浄機。
【請求項４】
制御手段は在室人数に応じて送風手段の運転を自動制御することを特徴とする請求項３記載の空気清浄機。
【請求項５】
運転状態を表示する表示部を備え、前記表示部は部屋の入出の検出結果により在室人数がゼロの場合は、前記表示部の表示を消灯することを特徴とする請求項３または４記載の空気清浄機。
【請求項６】
空気中の汚れ成分を検出する汚れ検出手段と、前期汚れ検出手段の検出信号を判定する制御手段を備え、前記制御手段は前記汚れ検出手段の検出信号を判定する所定の閾値を有し、部屋の入出検出時に閾値を変更することを特徴とする請求項３〜５いずれか記載の空気清浄機。
【請求項７】
制御手段は在室人数に応じて汚れ検出手段の検出信号を判定する閾値を変更することを特徴とする請求項６記載の空気清浄機。
【請求項８】
部屋の入出の検出結果により在室人数がゼロの場合は、汚れ検出手段の運転を間欠運転にすることを特徴とする請求項６または７記載の空気清浄機。
【請求項９】
汚れ検出手段が汚れを検出している場合は、制御手段は人検出手段の検出信号を無効にすることを特徴とする請求項６〜８いずれか記載の空気清浄機。
【請求項１０】
人検出手段の検出信号を有効／無効に切替えることができるスイッチを備えたことを特徴とする請求項１〜９いずれか記載の空気清浄機。
【請求項１１】
可動部を備え、前記可動部に人検出手段を設けたことを特徴とする請求項１〜１０いずれか記載の空気清浄機。
【請求項１２】
リモコンを備え、前記リモコンに人検出手段を設けたことを特徴とする請求項１〜１０いずれか記載の空気清浄機。
【請求項１３】
部屋の出入り口の備えた人感センサーと、この人感センサーの検知エリアの前記部屋の外に近い側に位置する第一の境界と部屋の中に近い側に位置する第二の境界を備え、前記第一の境界側から前記検知エリアを通過した人を検知した場合は前記部屋への入室者と判断し、また、前記第二の境界側から前記検知エリアを通過した人を検知した場合は前記部屋からの退室者と判断して、空気清浄機を運転する方法。
【発明の詳細な説明】
【技術分野】
【０００１】
本発明は、粉塵センサーおよびガスセンサーにより室内の空気汚れを検出し、制御手段が送風手段を駆動して室内空気を吸い込み、浄化手段を通して清浄化する空気清浄機に関するものである。
【背景技術】
【０００２】
従来、この種の空気清浄機は下記に記載されたものが知られている。
【０００３】
以下その空気清浄機について図１６および図１７を用いて説明する。図１６に示すように、空気清浄機本体１０１には、前方に吸気口１０２、側面に吹出口１０３、本体１０１内部にはモーター１０４、ファン１０５が設けられている。また、正面に表示部１０６を有し、表示部１０６内に人感センサー１０７を備えている。表示部１０６の詳細構成は図１７に示すように、表示部１０６の中央に人感センサー設置部１０８、人感センサー１０７を備え、左側に空気中のほこりを検出するダストセンサー１０９を設けている。
【０００４】
上記構成において、人感センサー設置部１０８は凹曲面状であり、表示部１０６に凹設して形成し、人感センサー１０７を人感センサー設置部１０８の周縁部よりも外方に突出しないように、人感センサー設置部１０８の略中心位置に設ける（例えば、特許文献１参照）。
【特許文献１】特開２００１−６２２２８号公報
【発明の開示】
【発明が解決しようとする課題】
【０００５】
このような従来の空気清浄機では、温度差により人の有無を検出しているので、人に関わらず温度差が発生する熱源にも反応し誤動作してしまうという課題があった。
【０００６】
また、凹曲面状の人感センサー設置部を凹設する必要があるので、本体のデザインの自由度が減り、デザイン性を損なうという課題があった。
【０００７】
本発明は、このような従来の課題を解決するものであり、人の有無を正確に検出することができ、また本体のデザイン性を損なわない空気清浄機を提供することを目的としている。
【課題を解決するための手段】
【０００８】
本発明の空気清浄機は上記目的を達成するために、本体に設けた吸気口と、この吸気口から吸気した汚れ空気を清浄化する浄化手段と、この浄化手段に通風する送風手段と、人の動作方向を検出する人検出手段と、前記人検出手段の検出信号により前記送風手段の運転を制御する制御手段を備え、前記人検出手段は所定の検出エリアを有し、所定の検出エリアを通過する人の動作方向の検出信号により前記制御手段は前記送風手段の運転を制御するものである。
【０００９】
この手段によりデザイン性を損なわずに人検出手段を備えることができ、人の動作方向を検出することにより人の有無を正確に検出することができ、人の有無に応じて送風手段を制御する空気清浄機が得られる。
【００１０】
また、人検出手段の所定の検出エリアに部屋の扉を含むように前記人検出手段を備え、前記人検出手段の検出信号により部屋の入出を検出し、部屋の入出に応じて制御手段は送風手段の運転を自動制御するようにしたものである。
【００１１】
この手段により部屋を入出する人を正確に検出することができ、部屋の入出に応じて送風手段を自動制御することができる空気清浄機が得られる。
【００１２】
また、制御手段は人検出手段の検出信号による部屋の入出の検出結果をカウントし、在室人数を判定するようにしたものである。
【００１３】
この手段により部屋の在室人数を判定することができる空気清浄機が得られる。
【００１４】
また、制御手段は在室人数に応じて送風手段の運転を自動制御するものである。
【００１５】
この手段により部屋の在室人数に応じて送風手段を自動制御する空気清浄機が得られる。
【００１６】
また、運転状態を表示する表示部を備え、前記表示部は部屋の入出の検出結果により在室人数がゼロの場合は、前記表示部の表示を消灯するものである。
【００１７】
この手段により人がいない場合には表示部を消灯し、消費電力を削減する空気清浄機が得られる。
【００１８】
また、空気中の汚れ成分を検出する汚れ検出手段と、前期汚れ検出手段の検出信号を判定する制御手段を備え、前記制御手段は前記汚れ検出手段の検出信号を判定する所定の閾値を有し、部屋の入出検出時に閾値を変更するものである。
【００１９】
この手段により人が居る場合と居ない場合で汚れ検出手段の感度を個々に自動設定することができる空気清浄機が得られる。
【００２０】
また、制御手段は在室人数に応じて汚れ検出手段の検出信号を判定する閾値を変更するものである。
【００２１】
この手段により在室人数に応じて汚れ検出手段の感度を個々に自動設定することができる空気清浄機が得られる。
【００２２】
また、部屋の入出の検出結果により在室人数がゼロの場合は、汚れ検出手段の運転を間欠運転にするものである。
【００２３】
この手段により部屋に人がいない場合は汚れ検出手段の運転を間欠運転にすることができ、消費電力を削減することができる空気清浄機が得られる。
【００２４】
また、汚れ検出手段が汚れを検出している場合は、制御手段は人検出手段の検出信号を無効にするものである。
【００２５】
この手段により人検出手段の検出信号による人の有無よりも汚れ検出手段の検出信号による空気汚れを優先して送風手段を制御する空気清浄機が得られる。
【００２６】
また、人検出手段の検出信号を有効／無効に切替えることができるスイッチを備えたものである。
【００２７】
この手段により使用者が人検出手段による送風手段の制御を有効／無効にするかを選択することができる空気清浄機が得られる。
【００２８】
また、可動部を備え、前記可動部に人検出手段を設けたものである。
【００２９】
この手段により空気清浄機本体の設置場所に応じて、人検出手段の位置を可動でき、使用者が空気清浄機本体の設置場所を自由に設定することができる空気清浄機が得られる。
【００３０】
また、リモコンを備え、前記リモコンに人検出手段を設けたものである。
【００３１】
この手段により使用者が空気清浄機本体の設置場所を自由に設定することができ、人検出手段の設置位置も自由に設置することができる空気清浄機が得られる。
【００３２】
また、部屋の出入り口の備えた人感センサーと、この人感センサーの検知エリアの前記部屋の外に近い側に位置する第一の境界と部屋の中に近い側に位置する第二の境界を備え、前記第一の境界側から前記検知エリアを通過した人を検知した場合は前記部屋への入室者と判断し、また、前記第二の境界側から前記検知エリアを通過した人を検知した場合は前記部屋からの退室者と判断して、空気清浄機を運転するものである。
【００３３】
この手段により、人の動作方向を検出することにより人の有無を正確に検出することができ、人の有無に応じて送風手段を制御して空気清浄機を運転する方法が得られる。
【発明の効果】
【００３４】
本発明によれば、本体に設けた吸気口と、この吸気口から吸気した汚れ空気を清浄化する浄化手段と、この浄化手段に通風する送風手段と、人の動作方向を検出する人検出手段と、前記人検出手段の検出信号により前記送風手段の運転を制御する制御手段を備え、前記人検出手段は所定の検出エリアを有し、所定の検出エリアを通過する人の動作方向の検出信号により前記制御手段は前記送風手段の運転を制御することにより、デザイン性を損なわずに人検出手段を備えることができ、人の動作方向を検出することにより人の有無を正確に検出することができ、人の有無に応じて送風手段を制御することができるという効果のある空気清浄機を提供できる。
【００３５】
また、人検出手段の所定の検出エリアに部屋の扉を含むように前記人検出手段を備え、前記人検出手段の検出信号により部屋の入出を検出でき、部屋の入出に応じて制御手段は送風手段の運転を自動制御することにより、部屋を入出する人を正確に検出することができ、部屋の入出に応じて送風手段を自動制御することができるという効果のある空気清浄機を提供できる。
【００３６】
また、制御手段は人検出手段の検出信号による部屋の入出の検出結果をカウントし、在室人数を判定することができるようにしたことにより、部屋の在室人数を判定することができるという効果のある空気清浄機を提供できる。
【００３７】
また、制御手段は在室人数に応じて送風手段の運転を自動制御することができるようにしたことにより、部屋の在室人数に応じて送風手段を自動制御することができるという効果のある空気清浄機を提供できる。
【００３８】
また、運転状態を表示する表示部を備え、前記表示部は部屋の入出の検出結果により在室人数がゼロの場合は、前記表示部の表示を消灯するようにしたことにより、人がいない場合には表示部を消灯し、消費電力を削減することができるという効果のある空気清浄機を提供できる。
【００３９】
また、空気中の汚れ成分を検出する汚れ検出手段と、前期汚れ検出手段の検出信号を判定する制御手段を備え、前記制御手段は前記汚れ検出手段の検出信号を判定する所定の閾値を有し、部屋の入出検出時に閾値を変更するようにしたことにより、人が居る場合と居ない場合で汚れ検出手段の感度を個々に自動設定することができるという効果のある空気清浄機を提供できる。
【００４０】
また、制御手段は在室人数に応じて汚れ検出手段の検出信号を判定する閾値を変更するようにしたことにより、在室人数に応じて汚れ検出手段の感度を個々に自動設定することができるという効果のある空気清浄機を提供できる。
【００４１】
また、部屋の入出の検出結果により在室人数がゼロの場合は、汚れ検出手段の運転を間欠運転にするようにしたことにより、部屋に人がいない場合は汚れ検出手段の運転を間欠運転にすることができ、消費電力を削減することができるという効果のある空気清浄機を提供できる。
【００４２】
また、汚れ検出手段が汚れを検出している場合は、制御手段は人検出手段の検出信号を無効にするようにしたことにより、人検出手段の検出信号による人の有無よりも汚れ検出手段の検出信号による空気汚れを優先して送風手段を制御することができるという効果のある空気清浄機を提供できる。
【００４３】
また、人検出手段の検出信号を有効／無効に切替えることができるスイッチを備えるようにしたことにより、使用者が人検出手段による送風手段の制御を有効／無効にするかを選択することができるという効果のある空気清浄機を提供できる。
【００４４】
また、可動部を備え、前記可動部に人検出手段を設けるようにしたことにより、空気清浄機本体の設置場所に応じて、人検出手段の位置を可動でき、使用者が空気清浄機本体の設置場所を自由に設定することができるという効果のある空気清浄機を提供できる。
【００４５】
また、人の動作方向を検出することにより人の有無を正確に検出することができ、人の有無に応じて送風手段を制御して空気清浄機を運転する方法が得られる。
【発明を実施するための最良の形態】
【００４６】
本発明の請求項１記載の発明は、本体に設けた吸気口と、この吸気口から吸気した汚れ空気を清浄化する浄化手段と、この浄化手段に通風する送風手段と、人の動作方向を検出する人検出手段と、前記人検出手段の検出信号により前記送風手段の運転を制御する制御手段を備え、前記人検出手段は所定の検出エリアを有し、所定の検出エリアを通過する人の動作方向の検出信号により前記制御手段は前記送風手段の運転を制御するようにしたものであり、デザイン性を損なわずに人検出手段を備えることができ、人の動作方向を検出することにより人の有無を正確に検出することができ、人の有無に応じて送風手段を制御することができるという作用を有する。
【００４７】
また、人検出手段の所定の検出エリアに部屋の扉を含むように前記人検出手段を備え、前記人検出手段の検出信号により部屋の入出を検出でき、部屋の入出に応じて制御手段は送風手段の運転を自動制御するようにしたものであり、部屋を入出する人を正確に検出することができ、部屋の入出に応じて送風手段を自動制御することができるという作用を有する。
【００４８】
また、制御手段は人検出手段の検出信号による部屋の入出の検出結果をカウントし、在室人数を判定することができるようにしたものであり、部屋の在室人数を判定することができるという作用を有する。
【００４９】
また、制御手段は在室人数に応じて送風手段の運転を自動制御することができるようにしたものであり、部屋の在室人数に応じて送風手段を自動制御することができるという作用を有する。
【００５０】
また、運転状態を表示する表示部を備え、前記表示部は部屋の入出の検出結果により在室人数がゼロの場合は、前記表示部の表示を消灯するようにしたものであり、人がいない場合には表示部を消灯し、消費電力を削減することができるという作用を有する。
【００５１】
また、空気中の汚れ成分を検出する汚れ検出手段と、前期汚れ検出手段の検出信号を判定する制御手段を備え、前記制御手段は前記汚れ検出手段の検出信号を判定する所定の閾値を有し、部屋の入出検出時に閾値を変更するようにしたものであり、人が居る場合と居ない場合で汚れ検出手段の感度を個々に自動設定することができるという作用を有する。
【００５２】
また、制御手段は在室人数に応じて汚れ検出手段の検出信号を判定する閾値を変更するようにしたものであり、在室人数に応じて汚れ検出手段の感度を個々に自動設定することができるという作用を有する。
【００５３】
また、部屋の入出の検出結果により在室人数がゼロの場合は、汚れ検出手段の運転を間欠運転にするようにしたものであり、部屋に人がいない場合は汚れ検出手段の運転を間欠運転にすることができ、消費電力を削減することができるという作用を有する。
【００５４】
また、汚れ検出手段が汚れを検出している場合は、制御手段は人検出手段の検出信号を無効にするようにしたものであり、人検出手段の検出信号による人の有無よりも汚れ検出手段の検出信号による空気汚れを優先して送風手段を制御することができるという作用を有する。
【００５５】
また、人検出手段の検出信号を有効／無効に切替えることができるスイッチを備えるようにしたものであり、使用者が人検出手段による送風手段の制御を有効／無効にするかを選択することができるという作用を有する。
【００５６】
また、可動部を備え、前記可動部に人検出手段を設けるようにしたものであり、空気清浄機本体の設置場所に応じて、人検出手段の位置を可動でき、使用者が空気清浄機本体の設置場所を自由に設定することができるという作用を有する。
【００５７】
また、リモコンを備え、前記リモコンに人検出手段を設けるようにしたものであり、使用者が空気清浄機本体の設置場所を自由に設定することができ、人検出手段の設置位置も自由に設置することができるという作用を有する。
【００５８】
また、部屋の出入り口の備えた人感センサーと、この人感センサーの検知エリアの前記部屋の外に近い側に位置する第一の境界と部屋の中に近い側に位置する第二の境界を備え、前記第一の境界側から前記検知エリアを通過した人を検知した場合は前記部屋への入室者と判断し、また、前記第二の境界側から前記検知エリアを通過した人を検知した場合は前記部屋からの退室者と判断して、空気清浄機を運転するものであり、人の動作方向を検出することにより人の有無を正確に検出して、人の有無に応じて空気清浄機を運転するという作用を有する。
【００５９】
以下、本発明の実施の形態について図面を参照しながら説明する。
【００６０】
（実施の形態１）
図１に示すように、空気清浄機の本体１は略箱形に形成され、本体１の側面には吸気口２を設けている。本体１内には空気を清浄化するための浄化手段としてのフィルター４と、このフィルター４に通風する送風手段としてのファンモーター３と、このファンモーター３を制御する制御手段としての制御回路６が備えられ、本体前面には人の動作方向を検出して人の入出状況を検知する人検出手段としての人感センサー５を備えている。
【００６１】
また、図２に示すように、制御回路６には、マイクロコンピュータ７を備え、マイクロコンピュータ７は前記人感センサー５の検出信号を演算処理し、ファンモーター３の風量を制御する。
【００６２】
また、人感センサー５は、図３（イ）および図４（イ）に示すように人感センサー５を中心にして円錐状の検知エリア８を有し、その境界部分を出入りする人から発する赤外線を検知してその動作方向に応じて同図（ロ）に示す正弦波の検出信号を出力するものである。
【００６３】
さらに、検知エリア８を平面で説明すると、検知エリア８は第一の境界としての第一の斜辺１４と第二の境界としての第二の斜辺１５を有する二等辺三角形状をしている。そして、図３（イ）のようにその第一の斜辺を境界として人の出入りが検出された場合は、同図（ロ）に示すように、プラス側から正弦波が出力される。また、図４（イ）のようにその第二の斜辺を境界として人の出入りが検出された場合は、同図（ロ）に示すように、マイナス側から正弦波が出力されるものである。
【００６４】
そして、人感センサー５の検知エリア８は、部屋の人が存在する範囲に対して狭角の検知特性を有し、空気清浄機の本体１は、検知エリア８を部屋の出入り口に向けて配置するものである。さらに、第一の斜辺１４側は、部屋の外側に近い側に配置し、第二の斜辺１５側は部屋の内側に近い側に配置して構成する。
【００６５】
上記構成において、人が部屋に入室すると、人感センサー５は、検出エリア８を通過する人の動作方向に応じて、検出信号を出力する。すなわち、図３（イ）に示すように人感センサー５の検出エリア８を第一の斜辺１４側から通過する方向で人が移動した場合、図３（ロ）に示すように人感センサー５の検出信号は最初に基準電位に対してプラス側からの正弦波が出力する。この検出信号をマイクロコンピュータ７が演算処理し、部屋に人が入ってきたことを検知し、ファンモーター３の風量を中ノッチから、急速ノッチに一段階風量アップするように制御して空気清浄機を動作させる。
【００６６】
また、人が部屋から退室すると、人感センサー５は、検出エリア８を通過する人の動作方向に応じて、検出信号を出力する。すなわち、図４（イ）に示すように人感センサー５の検出エリア８を第二の斜辺１５側から通過する方向で人が移動した場合、図４（ロ）に示すように人感センサー５の検出信号は最初に基準電位に対してマイナス側からの正弦波が出力する。この検出信号をマイクロコンピュータ７が演算処理し、ファンモーター３の風量を中ノッチから、弱ノッチに一段階風量ダウンするように制御する。
【００６７】
このように第一の斜辺１４を部屋の外側に配置して、第二の斜辺１５は部屋の内側に配置することで、人感センサー５が最初に検知した検出信号により的確に入室者と退室者を判断することができる。すなわち、検知エリア８内入った人が検知エリア８から出るときにも人感センサー５は検出信号を発するため、第一の斜辺１４と第二の斜辺１５のそれぞれの側での検知信号を識別できるようにしておき、人感センサー５が所定時間を置いて最初に検知し信号によって、検知エリア８を通過する人の動作方向を検出することで容易に部屋への人の入室と退室の判断ができる。そして、空気清浄機を部屋への人の入室状態に応じて運転させることができる。
【００６８】
このように人感センサー５を用いて検出エリア８を通過する人を検知する構成にすることで、検出エリア８は部屋全体を検知するように構成する必要がなくなり、従来のように検知エリアを広く確保するために、例えば人感センサーを空気清浄機本体の前面にレンズを突出させて設けたりすることもなくなり、デザイン性を損なわずに人検出手段を備えることができる。そして、人の動作方向を検出することにより人の有無を正確に検出することができ、人の有無に応じて送風手段を制御することができる。
【００６９】
なお、実施の形態１では一例として、ファンモーター３の風量制御を基準風量は中ノッチ、制御方法は一段階のアップダウンで制御するとしたが、基準風量を弱や急速ノッチ、制御方法を二段階のアップダウンであってもよく、その作用効果に差異を生じない。
【００７０】
また、検知エリア８に対して第一の斜辺１４側から検知エリア８を通過した場合に入室し、第二の斜辺１５側から検知エリア８を通過した場合を退室となる例を示したが、逆の方向に検知エリア８を通過した場合に入室および退室とする構成にしてもその作用効果に差異はない。さらに、実使用状態に合わせて、あらかじめ検知エリア８を通過する方向に対する入室、退室の判定のパターンを設定するスイッチを設けることで両者の使用に対応させることができる。
【００７１】
（実施の形態２）
本実施の形態は前記実施の形態１と制御方法が異なることと、空気清浄機の本体１の設置状態をより具体的に示したところがことなる。そして、同一の構成については同一の符号を付してその詳しい説明は省略する。
【００７２】
図５〜図６に示すように、人感センサー５の検出エリア８内に部屋の扉を含むように人感センサー５を本体１に備えている。
【００７３】
上記構成において、図５と図６に示すように部屋の入出に応じて、人感センサー５の検出信号は異なる信号を出力する。図５（イ）に示すように部屋に人が入室した場合、図５（ロ）に示すように人感センサー５の検出信号は最初に基準電位に対してプラス側からの正弦波が出力し、次に基準電位に対してマイナス側からの正弦波が出力される。この検出信号をマイクロコンピュータ７が演算処理し、部屋に人が入室したと判断し、ファンモーター３の風量を中ノッチから、急速ノッチに一段階風量アップするように制御する。また、図６（イ）に示すように部屋から人が退室した場合、図６（ロ）に示すように人感センサー５の検出信号は最初に基準電位に対してマイナス側からの正弦波が出力し、次に基準電位に対してプラス側からの正弦波が出力される。この検出信号をマイクロコンピュータ７が演算処理し、部屋から人が退室したと判断し、ファンモーター３の風量を中ノッチから、弱ノッチに一段階風量ダウンするように制御する。また、図７に示すようにマイクロコンピュータ７は人感センサー５の検出信号を連続的に演算処理し続けることで、部屋の在室人数を判定する。さらにマイクロコンピュータ７は部屋の在室人数に応じて、ファンモーター３の風量を制御する。例えば在室人数が０人の場合はファンモーターの風量は停止、在室人数が１人の場合はファンモーターの風量は弱ノッチ、在室人数が２人の場合はファンモーターの風量は中ノッチと制御する。
【００７４】
このように部屋を入出する人を正確に検出することができ、部屋の入出に応じて送風手段を自動制御することができる。
【００７５】
また、部屋の在室人数を判定することができ、部屋の在室人数に応じて送風手段を自動制御することができる。
【００７６】
（実施の形態３）
本実施の形態は前記実施の形態１あるいは２と制御方法が異なるのみであり、同一構成のものは同一番号を付して詳しい説明は省略する。
【００７７】
図８に示すように、本体１の正面に表示部としての液晶９、汚れ検出手段としてのガスセンサー１０を設けている。図９に示すように、マイクロコンピュータ７は液晶９の表示を制御している。また、マイクロコンピュータ７はガスセンサー１０の運転を制御するとともに、ガスセンサー１０の検出信号を演算処理する。
【００７８】
上記構成において、図１０を参照しながら説明する。人感センサー５の検出信号をマイクロコンピュータ７が演算処理し在室人数が０人の場合、マイクロコンピュータ７は液晶９の表示を消灯し、人感センサー５の検出信号をマイクロコンピュータ７が演算処理し在室人数が１人以上いる場合は、マイクロコンピュータ７は液晶９の表示を点灯するように制御する。また、図１１を参照しながら説明する。人感センサー５の検出信号をマイクロコンピュータ７が演算処理し在室人数が０人の場合、マイクロコンピュータ７が有しているガスセンサー１０の汚れ判定閾値を４段階の閾値の一番低感度となる閾値とする。人感センサー５の検出信号をマイクロコンピュータ７が演算処理し在室人数が１人の場合、マイクロコンピュータ７が有しているガスセンサー１０の汚れ判定閾値を４段階の閾値の低感度側から２番目となる閾値とする。人感センサー５の検出信号をマイクロコンピュータ７が演算処理し在室人数が２人の場合、マイクロコンピュータ７が有しているガスセンサー１０の汚れ判定閾値を４段階の閾値の高感度側から２番目となる閾値とする。また図１２を参照しながら説明する。人感センサー５の検出信号をマイクロコンピュータ７が演算処理し在室人数が０人の場合、マイクロコンピュータ７はガスセンサー１０の運転を間欠運転（例えばデューティー５０％）にし、人感センサー５の検出信号をマイクロコンピュータ７が演算処理し在室人数が１人以上いる場合は、マイクロコンピュータ７はガスセンサー１０の運転を連続運転するように制御する。
【００７９】
このように人が居ない場合には表示部を消灯し、汚れ検出手段の運転を間欠運転にし消費電力を削減することができる。
【００８０】
また、人が居る場合と居ない場合や在室人数に応じて汚れ検出手段の感度を個々に自動設定することができる。
【００８１】
なお、実施の形態３では表示部として液晶９としたが、ＬＥＤや７セグメントであってもよく、その作用効果に差異を生じない。
【００８２】
なお、実施の形態３では空気中の汚れ成分を検出する汚れ検出手段として、ガスセンサー１０としたが、ほこりセンサーやＣＯ２センサーであってもよく、その作用効果に差異を生じない。
【００８３】
なお、実施の形態３では汚れ判定閾値を４段階としたが、少なくとも２段階以上を有していればよく、その作用効果に差異を生じない。
【００８４】
なお、実施の形態３では間欠運転をデューティー５０％としたが、間欠運転であればデューティー２０％や８０％であってもよく、その作用効果に差異を生じない。
【００８５】
（実施の形態４）
本実施の形態は前記実施の形態１あるいは２と制御方法が異なるのみであり、同一構成のものは同一番号を付して詳しい説明は省略する。
【００８６】
図１３に示すように、本体１の天面に人感センサー５の検出信号を有効／無効と切替える人感センサー切替スイッチ１１を備え、本体１の前面から右側面に向かってスリットを設け、スリットに可動部１２を備え、可動部１２に人感センサー５を設けている。
【００８７】
上記構成において、図１４を参照しながら説明する。図１４に示すように空気清浄機が運転を開始し、ガスセンサー１０が空気中の汚れ成分を検出している場合は人感センサー５の検出信号は無効にし、制御回路６のマイクロコンピュータ７はガスセンサー１０の検出した汚れレベルに応じたファンモーター３の運転制御を行う。また、ガスセンサー１０が空気中の汚れ成分を検出していない場合は人感センサー５の検出信号を有効にし、人感センサー５が人を検出している場合は、マイクロコンピュータ７は在室人数に応じたファンモーター３の運転制御を行い、人感センサー５が人を検出していない場合は、ファンモーター３を停止する。また、図１３に示すように、使用者が人感センサー切替スイッチ１１をＯＮ／ＯＦＦすることにより、人感センサー５の検出信号の有効／無効を切替える。可動部１２は本体１に設けられた前面から右側面までのスリットを移動でき、可動部１２に備えた人感センサー５が可動部とともに移動するので、使用者が可動部１２を移動させることにより人感センサー５の検出エリア８を使用者が選択して設置することができる。
【００８８】
また、図１５に示すようにリモコン１３を備え、リモコン１３に人感センサー５を設けている。
【００８９】
上記構成において、使用者がリモコン１３に備えられた人感センサー５を任意の場所に設置することができる。
【００９０】
このように汚れ検出手段の検出信号による空気汚れを優先して送風手段を制御することができる。
【００９１】
また、使用者が人検出手段による送風手段の制御を有効／無効にするかを選択することができる。
【００９２】
また、使用者が空気清浄機本体の設置場所を自由に設定することができ、人検出手段の設置位置も自由に設置することができる。
【産業上の利用可能性】
【００９３】
部屋の入退出や在室人数を把握できるので、人の有無や多少により制御方法を変えるエアコンやファンヒーター、加湿器などの空調機器にも適用できる。
【図面の簡単な説明】
【００９４】
【図１】本発明の実施の形態１の空気清浄機の構成図
【図２】同空気清浄機の制御ブロック図
【図３】同空気清浄機の人感センサー動作を説明する図（（イ）人感センサーの検出エリアと人の動作方向を示す図、（ロ）人感センサーの検出信号とファンモーターの風量の相関図）
【図４】同空気清浄機の人感センサー動作を説明する図（（イ）人感センサーの検出エリアと人の動作方向を示す図、（ロ）人感センサーの検出信号とファンモーターの風量の相関図）
【図５】本発明の実施の形態２の人感センサーの動作を説明する図（（イ）人感センサーの検出エリアと部屋の扉位置の相関図、（ロ）部屋に入室する場合の人感センサーの検出信号とファンモーターの風量の相関図）
【図６】同空気清浄機の人感センサーの動作を説明する図（（イ）人感センサーの検出エリアと部屋の扉位置の相関図、（ロ）部屋から退室する場合の人感センサーの検出信号とファンモーターの風量の相関図）
【図７】同空気清浄機の人感センサーの検出信号に対する在室人数と運転風量の相関図
【図８】本発明の実施の形態３の構成図
【図９】同空気清浄機の制御ブロック図
【図１０】同空気清浄機の人感センサーの検出信号に対する在室人数と液晶表示の相関図
【図１１】同空気清浄機の人感センサーの検出信号に対する在室人数とガスセンサーの閾値の相関図
【図１２】同空気清浄機の人感センサーの検出信号に対する在室人数とガスセンサーの運転の相関図
【図１３】本発明の実施の形態４の構成図
【図１４】同フローチャート
【図１５】同空気清浄機の構成図
【図１６】従来の空気清浄機の外観正面図
【図１７】同要部拡大図
【符号の説明】
【００９５】
１    本体
２    吸気口
３    ファンモーター
４    フィルター
５    人感センサー
６    制御回路
７    マイクロコンピュータ
８    検出エリア
９    液晶
１０  ガスセンサー
１１  人感センサー切替スイッチ
１２  可動部
１３  リモコン
【図１】
2009274050.tif 000003
【図２】
2009274050.tif 000004
【図３】
2009274050.tif 000005
【図４】
2009274050.tif 000006
【図５】
2009274050.tif 000007
【図６】
2009274050.tif 000008
【図７】
2009274050.tif 000009
【図８】
2009274050.tif 000010
【図９】
2009274050.tif 000011
【図１０】
2009274050.tif 000012
【図１１】
2009274050.tif 000013
【図１２】
2009274050.tif 000014
【図１３】
2009274050.tif 000015
【図１４】
2009274050.tif 000016
【図１５】
2009274050.tif 000017
【図１６】
2009274050.tif 000018
【図１７】
2009274050.tif 000019